(57)【要約】【課題】コンタクト装置４に使用するプローブ１を構成する部品点数を低減し、プローブ１の低価格化を図り、コンタクト装置４の低価格化を図る。【解決手段】プローブ１として、導電材料によりコイル状に形成され、両端部が自身の中心軸に沿って延びるようにされたものを用いる。自身の中心軸に沿って延びるようにされた両端部の先端面が尖った形状にすると良い。そして、プローブ１を、その両端部が上下両面から突出或いは露出し且つ脱落しないように保持するプローブ保持孔６が複数配設されたプローブ保持ボード５のプローブ保持孔６内に保持することによりコンタクト装置４を構成する。各プローブ１は両端部を二つの被コンタクト体（被覆コード７の芯線８・プリント配線基板９の配線膜１０）にて押圧されて縮んで該被コンタクト体との電気的接続に必要な弾力を蓄えるようにする。【選択図】        図１
2004163364.tif 000002
【特許請求の範囲】
【請求項１】
導電材料からなり、コイル状であって両端部が自身の中心軸に沿って延びるようにされた
ことを特徴とするプローブ。
【請求項２】
両端部が自身の中心軸に沿って延びるようにされた
ことを特徴とする請求項１記載のプローブ。
【請求項３】
自身の中心軸に沿って延びるようにされた両端部の先端面が尖ってなる
ことを特徴とする請求項１又は２記載のプローブ
【請求項４】
導電材料によりコイル状に形成された複数のプローブと、
上記プローブをその両端が上下両面に突出或いは露出し且つ脱落しないように保持するプローブ保持孔が複数配設されたプローブ保持ボードと、
を有し、
上記各プローブは両端部を二つの被コンタクト体にて押圧されて縮んで該被コンタクト体との電気的接続に必要な弾力を蓄えるようにされた
ことを特徴とするコンタクト装置。
【発明の詳細な説明】
【０００１】
【発明の属する技術分野】
本発明は、電子部品、例えばＩＣ、プリント配線基板等の試験、特性、性能等の検査、測定のために、その各電極、各配線部分と測定回路との間を電気的に接続するプローブと、該プローブを用いたコンタクト装置に関する。
【０００２】
【従来の技術】
電子部品、例えばＩＣ、プリント配線基板等の試験、特性、性能等の検査、測定のために、その各電極、各配線部分と測定回路との間を電気的に接続することによりその各電極、各配線膜をその測定回路に電気的に導出することが必要である。そして、各配線膜、電極等の電気的導出にはコンタクト装置が用いられる。この種のコンタクト装置はプレートに多数のプローブを備え、各プローブの一端をプリント基板の各配線膜等の測定回路に電気的に接続すべき部分に接触させ、他端を測定回路に接続されたコードの先端に接触させるようになっているものが多い。これに関しては、本願出願人会社は特願平７−６１７２８、特願平８−１８３４４９、特願平１０−６６３３３、特願２００１−１３９４２０等により各種提案を行っている。
【０００３】
図３はそのようなコンタクト装置の従来例の一つを示す断面図である。ａはプローブ保持ボードで、複数枚の板ａ１、ａ２、ａ３、ａ４、ａ５を重ね合わせてなる。ｂは該プローブ保持ボードａに形成された保持孔で、上記重ね合わされた各板ａ１、ａ２、ａ３、ａ４、ａ５に形成された保持孔ｂ１、ｂ２、ｂ３、ｂ４、ｂ５が連通してなる。ｃは導電性材料からなるコイルスプリング、ｄは導電性材料からなるプローブ本体で、該プローブ本体ｄとコイルスプリングｃにより、つまり複数の部品によりプローブが構成され、該プローブが保持孔ｂのうち、ｂ２、ｂ３、ｂ４、ｂ５の部分に、上記プローブ本体ｄの尖った先端がプローブ保持ボードａ上面から突出しつつ抜け止めされた状態で保持されている。
【０００４】
ｅはプローブと、図示しない測定回路との間を電気的に接続する被覆コードで、その芯線ｆが被覆を剥がされ上記板ａ１の孔ｂ１に通されてプローブ保持ボードａに固定されている。該芯線ｆの先端面は板ａ１の上面と略同一平面上に位置するようにされ、上記コイルスプリングｃの尖った下端がその先端面に接するようにされている。ｇは例えばＩＣ等の被検査体、ｆはその例えば電極である。
【０００５】
上記該被検査体ｇは、検査時において、その電極ｈ側を下向きにして、各電極ｆと、それに対応するプローブとが接するように位置合わせすることによってプローブ保持ボードａ上に臨まされ、所定の圧力で下側に押圧される。すると、各プローブ本体ｄは下側に移動せしめられ、コイルスプリングｃがそれによって縮んで拡がろうとする弾力を蓄える。そして、この弾力により、プローブ本体ｄと電極ｈとの間及びコイルスプリングｃと被覆ケーブルｅの芯線ｆとの間が弾接し、その間に良好な電気的接続状態を形成することができる。
【０００６】
【発明が解決しようとする課題】
ところで、図３に示すような従来のコンタクト装置は、低価格化の要請に応えるべく改良を重ねて形状の簡単化、部品点数の低減化の努力の結晶といえるものであるが、コンタクト装置に対する低価格化の要請は止まるところを知らず、より一層の低価格化が要請されている。
【０００７】
そこで、本願発明者は、その要請に応えるべく、プローブの低価格化を模索した。というのは、ＩＣやプリント配線基板等は多ピン化、多電極化、高集積化等が進み、１台のコンタクト装置が必要とするプローブの数は増加の一途を辿っており、プローブ１個当たりの価格を低減できれば、コンタクト装置の価格をそのプローブ１個当たりの低減価格のプローブ数倍安くすることができるからである。
【０００８】
そして、本願発明者は、プローブについて、図３に示すような従来のコンタクト装置に使用されるものは、プローブ本体ｄの他にコイルスプリングｃを必要としているが、コイルスプリングのみでプローブを構成すれば、部品点数が半減できると言う着想を得た。
本発明はこのような着想を得た上で更に試作を重ねた結果として為されたものであり、コンタクト装置に使用するプローブの部品点数を低減し、プローブの低価格化を図り、延いては、プローブを使用するコンタクト装置の低価格化を図ることを目的とする。
【０００９】
【課題を解決するための手段】
請求項１のプローブは、導電材料によりコイル状に形成されことを特徴とする。
【００１０】
従って、請求項１のプローブによれば、コイル状であるので、一端部が一方の被コンタクト体に、他端部が他方のコンタクト体に接し、その両被コンタクト体から押圧されたとき縮んで拡がろうとする弾力を蓄える。即ち、プローブ自身がコイルスプリングとなり、その蓄えた弾力により、その両端部と両被コンタクト体との間を弾接させる。従って、その間に良好な電気的接続状態を形成することができる。
そして、自身がコイルスプリングとなるので、弾接のために別にスプリングを設ける必要がなく、プローブをコイル状の導電体のみで形成することができ、プローブの部品点数を低減することができる。
【００１１】
請求項２のプローブは、請求項１記載のプローブにおいて、両端部が自身の中心軸に沿って延びるようにされたことを特徴とする。
従って、請求項２のプローブによれば、両端部が自身の中心軸に沿って延びるようにされているので、被コンタクト体のコンタクト面に垂直にコンタクトし、良好にコンタクトするようにできる。
請求項３のプローブは、請求項１又は２記載のプローブにおいて、自身の中心軸に沿って延びるようにされた両端部の先端面が尖ってなることを特徴とする。従って、請求項３のプローブによれば、被コンタクト体との接触を先端面の尖った部分にて為し得るので、より接触を良好に為すことができ、延いては、プローブと被コンタクト体との電気的接続性を良好に為し得る。
【００１２】
請求項４のコンタクト装置は、請求項１のプローブ複数個と、上記プローブをその両端部が上下両面に突出或いは露出し且つ脱落しないように保持するプローブ保持孔が複数配設されたプローブ保持ボードを有し、上記各プローブは両端部を二つの被コンタクト体にて押圧されて縮んで該被コンタクト体との電気的接続に必要な弾力を蓄えるようにされたことを特徴とする。
【００１３】
従って、請求項４のコンタクト装置によれば、請求項１のプローブを用いるので、請求項１のプローブが享受する効果を享受し、コンタクト装置をより低価格化することができる。
【００１４】
【発明の実施の形態】
本発明は、基本的にコンタクト装置のプローブとして、導電材料によりコイル状に形成されたものを用いるが、そのプローブは両端部が自身の中心軸に沿って延びるようにされた形状を有する方がよい。というのは、プローブが被コンタクト体の表面に対して垂直に弾接することができ、良好な電気的接触が得られるからである。
更に、そのプローブの両端部は先端面が尖っているとより好ましいといえる。なぜならば、被コンタクト体との接触を先端面の尖った部分にて為し得るので、接触がより良好に為されるようにすることができ、延いては、プローブと被コンタクト体との電気的接続性を良好に為し得るからである。
【００１５】
【実施例】
以下、本発明を図示実施例に従って詳細に説明する。図１は本発明プローブの第１の実施例を示す斜視図である。
図において、１はプローブで、コイル状に形成された導電材料、例えば金属からなる。２は該プローブ１の一端部（下端部）で、プローブ１自身の中心軸に沿って延びるように形成され、その先端面２ａは円錐状に仕上げられて尖っている。
３は該プローブ１の他端部（上端部）で、プローブ１自身の中心軸に沿って延びるように形成され、その先端面３ａは円錐状に仕上げられて尖っている。
【００１６】
図２は図１に示したプローブ１を多数用いたコンタクト装置（本発明コンタクト装置の第１の実施例）４を示す断面図である。尚、図２はコンタクト装置４のプローブ１を１個保持する部分のみを示すが、実際には、一つのコンタクト装置４には、数十〜数千個のプローブ１が保持されるようになっている。
５はプローブ保持ボードで、複数枚の板５ａ、５ｂ、５ｃ、５ｄを重ね合わせてなる。６は該プローブ保持ボード５に形成された保持孔で、上記重ね合わされた各板５ａ、５ｂ、５ｃ、５ｄに形成された保持孔６ａ、６ｂ、６ｃ、６ｄが連通されてなる。
【００１７】
プローブ１は、自身の軸方向に延びる上端部３を除く部分が板５ｃの保持孔６ｃ内に、上端部３の基部側が板５ｄの保持孔６ｄ内に収納され、上端部３の先端側がプローブ保持ボード５の上面から上に突出せしめられている。そして、プローブ１の上端部３とそれより下の部分との間の段部が、保持孔６ｄと６ｃとの間に生じる下向きの段部に係合することによりプローブ１の上方向への抜けが阻まれるようになっている。
【００１８】
また、保持孔６ｃは下部より上部が大径にされてその間に上向きの段部が形成された形状を有し、この段部に、それより上の部分との間の段部が係合することによりプローブ１の下方向への抜けが阻まれるようになっている。
【００１９】
７はプローブ１と、図示しない測定回路との間を電気的に接続する被覆コードで、その芯線８が被覆を剥がされ、その被覆が剥がされた部分が板５ｂの保持孔６ｂに通され、被覆の先端部が板５ａの保持孔６ａに通されてプローブ保持ボード４に固定されている。該芯線８の先端面は板５ｂの上面と略同一平面上に位置するようにされ、上記プローブ１の下端部２の尖った先端と接するようにされている。９は例えばＩＣ等の被検査体、１０はその例えば電極である。
【００２０】
上記該被検査体９は、検査時において、その電極１０側を下向きにして、各電極１０と、それに対応するプローブ１とが接するように位置合わせしてプローブ保持ボード５上に臨まされ、所定の圧力で下側に押圧される。すると、各プローブ１は、コイル状に形成されているので、その押圧力に応じて縮んで拡がろうとする弾力を蓄える。そして、この弾力により、プローブ１と電極１０との間及びプローブ１と被覆ケーブル７の芯線８との間を弾接させ、その間に良好な電気的接続状態を形成することができる。
【００２１】
このようなコンタクト装置４によれば、プローブ１として、コイル状に形成された導電材料からなる１個の部材のみからなるものを使用し、そのプローブ１自身がコイルスプリングとなるので、弾接のために別にスプリングを設ける必要がない。従って、プローブの部品点数を低減することができ、延いては、コンタクト装置をより低価格化することができる。
【００２２】
【発明の効果】
請求項１のプローブによれば、コイル状に形成されているので、一端部が一方の被コンタクト体に、他端部が他方のコンタクト体に接し、その両被コンタクト体から押圧されたとき縮んで拡がろうとする弾力を蓄える。即ち、プローブ自身がコイルスプリングとなり、その蓄えた弾力により、その両端部と両被コンタクト体との間を弾接させて、その間に良好な電気的接続状態が形成されるようにすることができる。
そして、自身がコイルスプリングとなるので、弾接のために別にスプリングを設ける必要がなく、プローブをコイル状の導電体のみで形成することができ、プローブの部品点数を低減することができる。
【００２３】
請求項２のプローブによれば、両端部が自身の中心軸に沿って延びるようにされているので、被コンタクト体のコンタクト面に垂直にコンタクトし、良好にコンタクトするようにできる。
請求項３のプローブによれば、被コンタクト体との接触を先端面の尖った部分にて為し得るので、より接触を良好に為すことができ、延いては、プローブと被コンタクト体との電気的接続性を良好に為し得る。
【００２４】
請求項４のコンタクト装置によれば、請求項１のプローブを用いるので、請求項１のプローブが享受する効果を享受し、コンタクト装置をより低価格化することができる。
【図面の簡単な説明】
【図１】本発明プローブの第１の実施例を示す斜視図である。
【図２】上記本発明本発明プローブの第１の実施例を用いたコンタクト装置の一例（本発明コンタクト装置の第１の実施例）を示す断面図である。
【図３】コンタクト装置の従来例を示す断面図である。
【符号の説明】
１・・・プローブ、２、３・・・軸方向に延びる両端部、
４・・・コンタクト装置、５・・・プローブ保持ボード、
６・・・プローブ保持孔。
【図１】
2004163364.tif 000003
【図２】
2004163364.tif 000004
【図３】
2004163364.tif 000005